(57)【要約】      （修正有）【課題】コンピュータとワイヤレス接続され、使用範囲が広く且つ使用場面に制限を受けないワイヤレススキャナを提供する。【解決手段】ワイヤレススキャナ１００はケース１０と走査制御ユニット２０を含む。ケース１０は、平面の接触面１５を有し、接触面１５上に走査ウインドウ１６が設けられている。走査制御ユニット２０はケース１０内に設けられ、光源、少なくとも一つの画像キャプチャモジュール２１、光電変換モジュール、ＣＰＵ、及びワイヤレス発信機を含む。ワイヤレススキャナ１００は、ワイヤレス発信機がビルトインされて、被走査ドキュメントの画像信号を伝送するのに用いられ、ワイヤレススキャナ１００の使用範囲は広く且つ使用の場面に制限がない。【選択図】図１
0003195094.tif 000002
【実用新案登録請求の範囲】
【請求項１】
ワイヤレススキャナにおいて、ケースと走査制御ユニットを含み、
該ケースは、平面の接触面を有し、接触面上に走査ウインドウが設けられ、
該走査制御ユニットは、該ケース内に設けられ、さらに、
該走査ウインドウを通して被走査ドキュメントに走査光線を提供する、光源と、
該走査ウインドウ内の被走査ドキュメントの画像をキャプチャするための、少なくとも一つの画像キャプチャモジュールと、
該画像キャプチャモジュールがキャプチャした画像の光信号を変換してデジタル電気信号に変換する光電変換モジュールと、
該光電変換モジュールより伝送されたデジタル電気信号を処理及び圧縮するＣＰＵと、
該ＣＰＵにより圧縮されたデジタル電気信号を保存するための保存モジュールと、
該保存モジュール内のデジタル電気信号を伝送するためのワイヤレス送信機と、
を含むことを特徴とする、ワイヤレススキャナ。
【請求項２】
請求項１記載のワイヤレススキャナにおいて、該ケースは細長い直方体状とされ、それは上壁、底壁、一対の比較的長い第１側壁及び一対の該第１側壁より短い第２側壁を備え、該接触面は該底壁の下表面とされ、上述の走査ウインドウは長方形とされることを特徴とする、ワイヤレススキャナ。
【請求項３】
請求項２記載のワイヤレススキャナにおいて、該画像キャプチャモジュールは、該ケース内の、そのうち一つの第２側壁の一側に隣接し、上述の画像キャプチャモジュールの前方に、反射鏡が傾斜するように設置され、該画像キャプチャモジュールは該反射鏡により該走査ウインドウ内の被走査ドキュメントの画像をキャプチャすることを特徴とする、ワイヤレススキャナ。
【請求項４】
請求項２記載のワイヤレススキャナにおいて、該画像キャプチャモジュールは、該ケース内に設けられ且つ該走査ウインドウの真上に位置することを特徴とする、ワイヤレススキャナ。
【請求項５】
請求項１記載のワイヤレススキャナにおいて、該ＣＰＵはＨ．２６４画像圧縮技術を使用して該光電変換モジュールより伝送されたデジタル電気信号を圧縮することを特徴とする、ワイヤレススキャナ。
【請求項６】
請求項１記載のワイヤレススキャナにおいて、該ワイヤレス送信機はブルートゥース送信機とされることを特徴とする、ワイヤレススキャナ。
【請求項７】
請求項１記載のワイヤレススキャナにおいて、該ワイヤレス送信機はＩＥＥＥ  ８０２．１１Ｘ規格のワイヤレス送信機とされることを特徴とする、ワイヤレススキャナ。
【考案の詳細な説明】
【技術分野】
【０００１】
本考案は一種のスキャナに係り、特に一種のワイヤレススキャナに関する。
【背景技術】
【０００２】
スキャナは、コンピュータ外部の機器設備であり、画像を捕捉し並びにそれをコンピュータが表示、編集、保存及び出力できるように変換するデジタル化設備であり、周知のスキャナは線形イメージセンサであり、それは給紙式走査或いは直線（一次元）移動方式で画像を走査し、前者の機体重量は比較的重く携帯に不利であり、走査時には一枚ずつフィードしなければならず、後者の形状は通常、細長く且つ画像のねじれと曲がりを校正及び補償する機能を備えていなければならず、並びにただ直線移動方式で、比較的小さな幅を走査することしかできず、幅を超過した走査は行なえない。該スキャナはコンピュータと有線接続されて走査画像を伝送し、コンピュータ周辺の有限距離内でのみ使用でき、使用範囲と使用場面も制限を受ける。
【考案の概要】
【考案が解決しようとする課題】
【０００３】
本考案の目的は、上述の周知の不足に対して、一種の、コンピュータとワイヤレス接続され、使用範囲が広く且つ使用場面に制限を受けないワイヤレススキャナを提供することにある。
【課題を解決するための手段】
【０００４】
上述の目的を実現するため、本考案は一種のワイヤレススキャナを提供し、それは、ケースと走査制御ユニットを包含する。上述のケースは、平面の接触面を有し、接触面上に走査ウインドウが設けられている。上述の走査制御ユニットはケース内に設けられ、光源、少なくとも一つの画像キャプチャモジュール、光電変換モジュール、ＣＰＵ、及びワイヤレス送信機を含む。上述の光源は、走査ウインドウを通して被走査ドキュメント上に走査光線を照射する。上述の画像キャプチャモジュールは、走査ウインドウ内の、被走査ドキュメントの画像をキャプチャする。上述の光電変換モジュールは、該画像キャプチャモジュールがキャプチャした画像の光信号をデジタル電気信号に変換する。上述のＣＰＵは光電変換モジュールより伝送されてきたデジタル電気信号を処理及び圧縮する。上述の保存モジュールは、ＣＰＵにより圧縮されたデジタル電気信号を保存する。上述のワイヤレス送信機は保存モジュール内のデジタル電気信号を伝送するのに用いられる。
【考案の効果】
【０００５】
総合すると、本考案のワイヤレススキャナは、ワイヤレス送信機がビルトインされて、被走査ドキュメントの画像信号を伝送するのに用いられ、該ワイヤレススキャナの使用範囲は広く且つ使用の場面に制限がない。
【図面の簡単な説明】
【０００６】
【図１】本考案の第１実施例のワイヤレススキャナの表示図である。
【図２】本考案の第２実施例のワイヤレススキャナの表示図である。
【図３】本考案の第３実施例のワイヤレススキャナの表示図である。
【図４】本考案のワイヤレススキャナの走査制御ユニットのブロック構造図である。
【考案を実施するための形態】
【０００７】
以下に本考案の技術内容、構造特徴、達成する目的及び作用効果について、以下に例を挙げ並びに図面を組み合わせて詳細に説明する。
【０００８】
図１から図４に示されるように、本考案のワイヤレススキャナ１００は、ケース１０と走査制御ユニット２０を含む。
【０００９】
図１から図３に示されるように、上述のケース１０は細長い直方体状を呈し、それは、上壁１１、底壁１２、一対の比較的長い第１側壁１３及び一対の比較的短い第２側壁１４を備え、上述の底壁１２の下表面は、平面の接触面１５とされ、上述の接触面１５には長方形の走査ウインドウ１６が設けられている。
【００１０】
図１から図４を続けて参照されたい。上述の走査制御ユニット２０は、光源（図示せず）、少なくとも一つの画像キャプチャモジュール２１、光電変換モジュール２２、ＣＰＵ２３、保存モジュール２４とワイヤレス送信機２５を含む。
【００１１】
図１から図３を続けて参照されたい。上述の光源は、走査ウインドウ１６を通して走査光線を被走査ドキュメント（図示せず）に提供する。
【００１２】
図１を参照されたい。それは本考案のワイヤレススキャナ１００の第１実施例とされ、上述の画像キャプチャモジュール２１はケース１０内の、そのうち一つの第２側壁１４の一側に隣接するように設けられ、画像キャプチャモジュール２１の前方に、反射鏡２１１が傾斜するように設置され、画像キャプチャモジュール２１は反射鏡２１１により走査ウインドウ１６内の被走査ドキュメントの画像をキャプチャする。
【００１３】
図２を参照されたい。それは本考案のワイヤレススキャナ１００の第２実施例とされ、この実施例の走査制御ユニット２０’の画像キャプチャモジュール２１’はケース１０内に設けられ且つ走査ウインドウ１６の真上に設けられ、ゆえに、本実施例の画像キャプチャモジュール２１’には反射鏡２１１を設置する必要はなく、該画像キャプチャモジュール２１’は直接、走査ウインドウ１６内の被走査ドキュメントの画像をキャプチャできる。
【００１４】
図３を参照されたい。それは本考案のワイヤレススキャナ１００の第３実施例とされ、この実施例の走査制御ユニット２０”は、複数の並列配列を呈する画像キャプチャモジュール２１”を備え、本実施例は、二つの並列配列された画像キャプチャモジュール２１”が設けられ、且つ二つの画像キャプチャモジュール２１”はケース１０内に設けられ且つ走査ウインドウ１６の真上に設けられ、ゆえに、本実施例の二つの画像キャプチャモジュール２１”もまた、反射鏡２１１を設置する必要がなく、二つの画像キャプチャモジュール２１”のキャプチャビューウインドウは隣り合い、これにより二つの画像キャプチャモジュール２１”は相互に組み合わされて直接走査ウインドウ１６内の被走査ドキュメントの画像をキャプチャできる。
【００１５】
図４を参照されたい。上述の光電変換モジュール２２は、画像キャプチャモジュール２１がキャプチャした画像の光信号をデジタル電気信号に変換する。上述のＣＰＵ２３は光電変換モジュール２２より伝送されたデジタル電気信号を処理し、並びにＨ．２６４画像圧縮技術を使用し、光電変換モジュール２２より伝送されたデジタル電気信号を圧縮する。上述の保存モジュール２４はＣＰＵ２３が圧縮したデジタル電気信号を保存するのに用いられる。上述のワイヤレス送信機２５は、保存モジュール２４内のデジタル電気信号をコンピュータ３００へと伝送するのに用いられ、該ワイヤレス送信機２５はブルートゥース送信機、或いはＩＥＥＥ  ８０２．１１Ｘ規格のワイヤレス送信機とされる。
【００１６】
総合すると、本考案のワイヤレススキャナ１００はケース１０の接触面１５が長方形の平面に設けられ、走査ウインドウ１６は長方形に設けられ、走査時に、走査ウインドウ１６が被走査ドキュメントが曲面のときも、依然として比較的良好に当接することができ、並びに該ワイヤレススキャナ１００は、被走査ドキュメントが曲面のときの適応性が良好である。また、本考案のワイヤレススキャナ１００にはワイヤレス送信機がビルトインされ、被走査ドキュメントの画像信号をコンピュータ２００へと伝送するのに用いられ、該ワイヤレススキャナ１００の使用範囲は広く、且つ使用場面は制限を受けない。
【符号の説明】
【００１７】
１００  ワイヤレススキャナ
１０  ケース
１１  上壁
１２  底壁
１３  第１側壁
１４  第２側壁
１５  接触面
１６  走査ウインドウ
２１１  反射鏡
２２  光電変換モジュール
２３  ＣＰＵ
２４  保存モジュール
２５  ワイヤレス送信機
２００  コンピュータ
２１、２１’、２１”  画像キャプチャモジュール
【図１】
0003195094.tif 000003
【図２】
0003195094.tif 000004
【図３】
0003195094.tif 000005
【図４】
0003195094.tif 000006